(57)【要約】ブロードキャストおよび／またはマルチキャスト送信（単数または複数）を取得する媒体デバイスの遠隔の監視および／または制御を容易化することが説明されるシステムおよび方法論。種々の態様によると、制限された逆方向リンクまたは逆方向リンクなしでの（例えば、フォワードリンクオンリー（ＦＬＯ）技術を用いる）ブロードキャストおよび／またはマルチキャスト送信（単数または複数）に関連して動作する媒体デバイス（単数または複数）の遠隔での制御を容易化するシステムおよび方法が説明される。そのようなシステムおよび方法は、種々のサービス問題、デバイス性能、ネットワーク性能および同等物を監視し得る。
2009517927.tif 000002
【特許請求の範囲】
【請求項１】
ブロードキャストデバイスを遠隔で監視することを容易化する方法であって、
操作可能な媒体デバイスからブロードキャスト送信に関連する収集される情報を受信することと、
前記収集される情報に基づいて前記媒体デバイスおよびネットワークのうちの少なくとも１つの性能を監視することと、
前記監視された性能に基づいて後のブロードキャスト送信を変更することと、
を備える、方法。
【請求項２】
前記収集される情報が、サービス情報、システム情報、ネットワーク情報およびデバイス性能情報のうちの少なくとも１つを備える、請求項１に記載の方法。
【請求項３】
前記収集される情報がデバイス診断情報を備える、請求項１に記載の方法。
【請求項４】
前記収集される情報が呼処理情報を備える、請求項１に記載の方法。
【請求項５】
前記収集される情報がデバイス位置情報を備える、請求項１に記載の方法。
【請求項６】
前記ブロードキャスト送信が、制限された逆方向リンクおよび逆方向リンクなしのうちの少なくとも１つに関連付けられている、請求項１に記載の方法。
【請求項７】
前記ブロードキャスト送信が、フォワードリンクオンリー（ＦＬＯ）技術に従っている、請求項１に記載の方法。
【請求項８】
前記ブロードキャスト送信に関連付けられる経路と異なる通信経路を介して、収集される情報を受信する、請求項１に記載の方法。
【請求項９】
無線領域ネットワークを介して、収集される情報を受信する、請求項８に記載の方法。
【請求項１０】
１ｘ逆方向リンクを介して、収集される情報を受信する、請求項８に記載の方法。
【請求項１１】
有線ブロードバンドリンクを介して、収集される情報を受信する、請求項８に記載の方法。
【請求項１２】
２Ｇプロトコル、３Ｇプロトコルおよび４Ｇプロトコルのうちの少なくとも１つに従って無線接続を介して、収集される情報を受信する、請求項８に記載の方法。
【請求項１３】
収集される情報を複数の操作可能な媒体デバイスから受信することと、
劣化したサービス品質の位置を特定するために、前記複数の操作可能な媒体デバイスの各々に対応する前記収集される情報を比較することと、
をさらに備える、請求項１に記載の方法。
【請求項１４】
前記操作可能な媒体デバイスに加えて異なるノードからの情報を受信することと、
障害を特定するために、前記異なるノードからの前記情報および前記操作可能な媒体デバイスからの前記収集される情報を相互に関連付けすることと、
をさらに備える、請求項１に記載の方法。
【請求項１５】
動作パラメータを修正するために、前記操作可能な媒体デバイスに制御情報を送信することをさらに備える、請求項１に記載の方法。
【請求項１６】
前記動作パラメータが、チャネル、位置、収集する情報、帰路搬送する情報のうちの少なくとも１つに関連付けられている、請求項１５に記載の方法。
【請求項１７】
性能を監視することが、収集される情報を再生することをさらに備える、請求項１に記載の方法。
【請求項１８】
無線通信装置であって、
ブロードキャスト送信に関するデータおよび遠隔ソースからの制御情報を保持するメモリと、
前記ブロードキャスト送信に関する前記データを収集するための前記制御情報に関する動作を可能にし、前記データを集約し、前記データに関するフィードバックを送信するプロセッサと、
を備える、無線通信装置。
【請求項１９】
前記プロセッサが、集約するデータの種類、送信するデータの種類、位置、オン／オフ状態、前記ブロードキャスト送信を取得するソース、および前記制御情報に基づくチャネルのうちの少なくとも１つを修正する、請求項１８に記載の無線通信装置。
【請求項２０】
前記プロセッサが、サービスエリア情報、ネットワーク情報およびサービス情報のうちの少なくとも１つを集約および送信する、請求項１８に記載の無線通信装置。
【請求項２１】
前記プロセッサが、音声、映像およびＩＰデータキャストデータのうちの少なくとも１つを集約および送信する、請求項１８に記載の無線通信装置。
【請求項２２】
前記プロセッサが、前記遠隔ソースから取得される更新された制御情報に基づいて動作を修正する、請求項１８に記載の無線通信装置。
【請求項２３】
前記プロセッサが、前記ブロードキャスト送信に関連付けられた第１の通信経路と異なる第２の通信経路を経由して前記フィードバックを送信する、請求項１８に記載の無線通信装置。
【請求項２４】
遠隔デバイスを監視する無線通信装置であって、
ブロードキャスト送信に関連する収集される情報を受信する手段と、
前記収集される情報に基づいて、媒体デバイスおよびネットワークのうちの少なくとも１つの性能を監視する手段と、
前記監視された性能に基づいて後の送信を変更する手段と、
を備える、無線通信装置。
【請求項２５】
遠隔位置から前記媒体デバイスを制御する手段をさらに備える、請求項２４に記載の無線通信装置。
【請求項２６】
サービス情報、システム情報、ネットワーク情報およびデバイス性能情報のうちの少なくとも１つを監視する手段をさらに備える、請求項２４に記載の無線通信装置。
【請求項２７】
フォワードリンクオンリー（ＦＬＯ）システムでフィードバックを取得する手段をさらに備える、請求項２４に記載の無線通信装置。
【請求項２８】
前記ブロードキャスト送信に関連付けられる経路と異なる通信経路を介して収集される情報を受信する手段をさらに備える、請求項２４に記載の無線通信装置。
【請求項２９】
劣化したサービス品質に関連付けられる地理的位置を特定する手段をさらに備える、請求項２４に記載の無線通信装置。
【請求項３０】
前記監視された性能に基づいて、前記ブロードキャスト送信に関連づけられる障害の位置を特定する手段をさらに備える、請求項２４に記載の無線通信装置。
【請求項３１】
その上に、
ブロードキャスト送信を取得する媒体デバイスの動作を制御することと、
前記媒体デバイスを含む複数のノードから前記ブロードキャスト送信に関連するデータを収集することと、
遠隔監視に関する帰路を介して前記収集されるデータを送信することと、
に関する機械実行可能命令が記憶されている、機械可読媒体。
【請求項３２】
前記機械実行可能命令は、遠隔ソースから取得される制御情報を前記媒体デバイスに送信することをさらに備える、請求項３１に記載の機械可読媒体。
【請求項３３】
前記機械実行可能命令は、サービスデータ、システム情報および物理層性能データのうちの少なくとも１つを収集することをさらに備える、請求項３１に記載の機械可読媒体。
【請求項３４】
前記機械実行可能命令は、１ｘ逆方向リンクおよび専用有線ブロードバンドリンクのうちの少なくとも１つを介して通信することをさらに備える、請求項３１に記載の機械可読媒体。
【請求項３５】
前記複数のノードが、異なる媒体デバイス、励振器、端末サービスおよび統合速度復号器（ＩＲＤ）のうちの少なくとも１つを含む、請求項３１に記載の機械可読媒体。
【請求項３６】
以下の命令、
媒体デバイスおよびネットワークのうちの少なくとも１つの性能を、前記媒体デバイスから取得されるブロードキャスト送信に関連する収集される情報に基づいて監視することと、
前記監視された性能に基づいて、後のブロードキャスト送信を変更することと、
を実行するプロセッサ。
【請求項３７】
前記ブロードキャスト送信がフォワードリンクオンリー（ＦＬＯ）送信である、請求項３６に記載のプロセッサ。
【発明の詳細な説明】
【関連する出願の参照】
【０００１】
本出願は、２００５年１１月２３日に出願された「無線デバイスから情報を収集する方法および装置（ＭＥＴＨＯＤＳ  ＡＮＤ  ＡＰＰＡＲＡＴＵＳ  ＦＯＲ  ＣＯＬＬＥＣＴＩＮＧ  ＩＮＦＯＲＭＡＴＩＯＮ  ＦＲＯＭ  Ａ  ＷＩＲＥＬＥＳＳ  ＤＥＶＩＣＥ）」と題された米国仮特許出願第６０／７３９，４８１号の利点を主張する。前述の出願の全文は、本明細書の一部とされる。
【０００２】
背景
【技術分野】
【０００３】
以下の説明は、一般に、無線通信に関し、特に、無線通信システムでブロードキャストデバイスを遠隔で監視することおよび／または制御することに関する。
【背景技術】
【０００４】
無線通信システムは、様々な種類の通信を提供するように広範に配備され、例えば、そのような無線通信システムを介して音声および／またはデータが提供され得る。典型的な無線通信システムまたはネットワークは、１つ以上の共有リソースへの複数のユーザのアクセスを提供することが可能である。例えば、システムは、周波数分割多重化（ＦＤＭ）、時分割多重化（ＴＤＭ）、符号分割多重化（ＣＤＭ）およびその他等の様々の多重アクセス技術を使用し得る。
【０００５】
一般的な無線通信システムは、サービスエリアを提供する１つ以上の基地局を用いる。典型的な基地局は、データストリームがユーザデバイスに対する受信に非依存であってよいデータのストリームであり得るブロードキャスト、マルチキャストおよび／またはユニキャストサービスに関する複数のデータストリームを送信することが可能である。そのような基地局のサービスエリア内のユーザデバイスは、複合ストリームによって搬送される１つ、２つ以上または全てのデータストリームを受信するために用いられてよい。同様に、ユーザデバイスは、基地局または別のユーザデバイスにデータを送信し得る。
【０００６】
最近、フォワードリンクオンリー（Ｆｏｒｗａｒｄ  Ｌｉｎｋ  Ｏｎｌｙ）（ＦＬＯ）技術等のブロードキャスト技術が開発され、携帯用ユーザデバイス（単数または複数）にコンテンツ（例えば、映像、音声、マルチメディア、ＩＰデータキャスト、・・・）を提供するために用いられている。ＦＬＯ技術は、リアルタイムコンテンツストリーミングとその他のデータサービスとの両方に対して、高品質の受信を達成するために設計され得る。ＦＬＯ技術は、電力消費を損なうことなしに堅固な携帯電話性能および高い能力を提供することが可能である。さらに、ＦＬＯ技術は、配備される基地局送信機の数を低減することによってマルチメディアコンテンツの配信に関する経費を低減し得る。さらに、ＦＬＯ技術に基づくマルチメディアマルチキャスティングは、同じ移動体デバイスにコンテンツを配信する無線オペレータのセルラーネットワークデータおよび音声サービスに対して優遇し得る。
【０００７】
ＦＬＯは、逆方向リンクなしまたは制限された逆方向リンクを用いる直交周波数分割多重化（ＯＦＤＭ）に基づくマルチキャスト技術を用い得る。従って、ＦＬＯ技術と共に制限された逆方向リンクを用いるかまたは逆方向リンクを用いないことによって、移動体デバイス（単数または複数）は一般に、ネットワーク、サービスエリア、ならびに／またはサービスに関連する問題、統計および／もしくはデータに関するサービスを報告することが不可能である。さらに、ＦＬＯに関連して、移動体デバイス（単数または複数）は、そのような技術が通常、マルチキャスティングを用いるため、個別に制御することが不可能であり得る。
【発明の開示】
【発明の概要】
【０００８】
以下は、１つ以上の実施形態の基本的な理解を提供するために、そのような実施形態の単純化された概要を示す。この概要は、全ての意図される実施形態の広範な概説ではなく、全ての実施形態の鍵となるまたは重要な構成要素を特定することも、いずれかまたは全ての実施形態の範疇を線引きすることも意図していない。その唯一の目的は、後で示されるより詳細な説明の前置きとして単純な形態で、１つ以上の実施形態のいくつかの概念を示すことである。
【０００９】
１つ以上の実施形態とそれらに対応する開示とによると、ブロードキャストおよび／またはマルチキャストの送信（単数または複数）を取得する媒体デバイスを遠隔で監視することおよび／または制御することに関連して種々の態様が説明される。種々の態様によると、制限された逆方向リンクまたは逆方向リンクなしでの（例えば、フォワードリンクオンリー（ＦＬＯ）技術を用いる）ブロードキャストおよび／またはマルチキャスト送信（単数または複数）に関連して動作する媒体デバイス（単数または複数）の遠隔での制御を容易化するシステムおよび方法が説明される。そのようなシステムおよび方法は、種々のサービス問題、デバイス性能、ネットワーク性能および同等物を監視し得る。
【００１０】
関連する態様によると、ブロードキャストデバイスを遠隔で監視する方法が本明細書中で説明される。本方法は、操作可能な媒体デバイスからブロードキャスト送信に関連する収集された情報を受信することと、収集された情報に基づいて媒体デバイスおよびネットワークのうちの少なくとも１つの性能を監視することとを備える。さらに、本方法は、監視された性能に基づいてその後のブロードキャスト送信を変更することを含んでよい。
【００１１】
別の態様は、ブロードキャスト送信に関するデータおよび遠隔のソースからの制御情報を保持するメモリを含み得る無線通信装置に関する。さらに、プロセッサは、ブロードキャスト送信に関するデータを収集するための制御情報に従った動作を可能にし、データを集約し、データに関するフィードバックを送信する。
【００１２】
さらに別の態様は、遠隔のデバイスを監視する無線通信装置に関する。この無線通信装置は、ブロードキャスト送信に関連する収集された情報を受信する手段と、収集された情報に基づいて媒体デバイスおよびネットワークのうちの少なくとも１つの性能を監視する手段と、監視された性能に基づいて後の送信を変更する手段とを含み得る。
【００１３】
さらに別の態様は、ブロードキャスト送信を取得する媒体デバイスの動作を制御し、媒体デバイスを含む複数のノードからブロードキャスト送信に関連するデータを収集し、遠隔での監視に関する帰路を介して収集されたデータを送信するための機械実行可能な命令が記憶される機械可読媒体に関する。
【００１４】
別の態様によると、媒体デバイスから取得されるブロードキャスト送信に関連する収集された情報に基づいて、媒体デバイスおよびネットワークのうちの少なくとも１つの性能を監視する命令を実行し得るプロセッサが本明細書中で説明される。さらに、このプロセッサは、監視された性能に基づいて後のブロードキャスト送信を変更する命令を実行し得る。
【００１５】
前述および関連する目的の達成のために、１つ以上の実施形態は、本明細書中で完全に説明され、特許請求の範囲で特に指摘される特性を備える。以下の説明および付属の図面は、１つ以上の実施形態の特定の例示的な態様を詳細に示す。しかしながら、これらの態様は、種々の実施形態の原理が用いられ得る種々のやり方のほんの数例を例示的に示しており、説明される実施形態は、そのような態様とそれらの同等物との全てを含むことが意図されている。
【詳細な説明】
【００１６】
種々の実施形態が次に図面を参照して説明され、そこでは同等の参照番号が同等の構成要素を示すために全体を通して使用される。以下の説明では、例示として、１以上の実施形態の充分な理解を提供するために多数の特定の詳細が示される。しかしながら、そのような実施形態（単数または複数）は、これらの特定の詳細なしで実行されてよいことは明らかであり得る。別の例では、１つ以上の実施形態の説明を容易化するために、公知の構造およびデバイスがブロック図の形式で示される。
【００１７】
本出願で使用されるように、用語「構成要素」、「モジュール」、「システム」および同等物は、ハードウェア、ファームウェア、ハードウェアおよびソフトウェアの組み合わせ、ソフトウェアまたは実行中のソフトウェアのいずれかであるコンピュータ関連のエンティティを示すことが意図される。例えば、限定されるものではないが、構成要素は、プロセッサ上で実行中のプロセス、プロセッサ、オブジェクト、実行ファイル、スレッド、プログラムおよび／またはコンピュータであってよい。例示として、コンピューティングデバイス上で実行中のアプリケーションとコンピューティングデバイスとの両方が構成要素であってよい。１つ以上の構成要素が、プロセスおよび／またはスレッド内に属してもよいし、構成要素が１つのコンピュータ上に局部集中されてもよいし、かつ／または２つ以上の構成要素の間で分散されてもよい。さらに、これらの構成要素は、その上に記憶される種々のデータ構造を有する種々のコンピュータ可読媒体から実行されてもよい。構成要素は、１つ以上のデータパケット（例えば、ローカルシステム内で、分散システム内で、および／またはインターネット等のネットワークを介して他のシステムと信号経由で、別の構成要素と情報をやりとりする１つの構成要素からのデータ）を有する信号に従って等、ローカルおよび／またはリモートのプロセスを経由して通信してもよい。
【００１８】
さらに、本明細書では種々の実施形態が加入者局に関連して説明される。加入者局は、システム、加入者ユニット、移動体局、移動体、遠隔局、アクセスポイント、遠隔端末、アクセス端末、ユーザ端末、ユーザエージェント、ユーザデバイス、またはユーザ設備とも呼ばれ得る。加入者局は、携帯電話、コードレス電話、セッション初期化プロトコル（ＳＩＰ）電話、ワイヤレスローカルループ（ＷＬＬ）局、携帯情報端末（ＰＤＡ）、無線接続能力を有する携帯用デバイス、コンピューティングデバイス、または無線モデムに接続されるその他の処理デバイスであってよい。
【００１９】
さらに、本明細書で説明される種々の態様または特性は、方法、装置、あるいは標準的なプログラミングおよび／またはエンジニアリングの技術を使用した製造品として実装されてよい。本明細書で用いられる用語「製造品」は、あらゆるコンピュータ可読デバイス、キャリア、または媒体からアクセス可能なコンピュータプログラムを包含することが意図される。例えば、コンピュータ可読媒体は、限定するものではないが、磁気記憶デバイス（例えば、ハードディスク、フロッピー（登録商標）ディスク、磁気帯、その他）、光学ディスク（例えば、コンパクトディスク（ＣＤ）、ディジタル多用途ディスク（ＤＶＤ）、その他）、スマートカード、およびフラッシュメモリデバイス（例えば、ＥＰＲＯＭ、カード、スティック、キードライブ、その他）を含み得る。さらに、本明細書で説明される種々の記憶媒体は、１つ以上のデバイスおよび／または情報を記憶するための他の機械可読媒体を示してよい。用語「機械可読媒体」は、限定するものではないが、無線チャネルと、命令（単数または複数）および／またはデータを記憶、含有および／または搬送することが可能な種々の他の媒体とを含み得る。
【００２０】
図１を参照すると、本明細書で示される種々の実施形態による無線通信システム１００が示されている。システム１００は、無線通信信号を互いにおよび／または１つ以上の移動体デバイス１０４に対して受信、送信、繰り返し、その他を行う、１つ以上のセクタの１つ以上の基地局１０２（例えば、アクセスポイント）を備えてよい。各基地局１０２は、当業者には理解されるように、各々が信号送信および受信に関連する複数の構成要素（例えば、プロセッサ、変調器、マルチプレクサ、復調器、デマルチプレクサ、アンテナ、その他）を備え得る送信機チェーン（transmitter chain）および受信機チェーン（receiver chain）を備え得る。移動体デバイス１０４は、例えば、携帯電話、スマートフォン、ラップトップ型パソコン、携帯用通信デバイス、携帯用コンピューティングデバイス、衛星ラジオ、全地球測位システム、ＰＤＡｓおよび／または無線通信システム１００を介して通信するためのあらゆるその他の適切なデバイスであってよい。
【００２１】
基地局１０２は、フォワードリンクオンリー（ＦＬＯ）技術を用いることによって、移動体デバイス１０４にコンテンツをブロードキャストすることが可能である。例えば、リアルタイム音声および／または映像信号が非リアルタイムサービス（例えば、音楽、天気、ニュースの概要、交通、金融情報、・・・）と同様にブロードキャストされ得る。一例によると、コンテンツが基地局１０２によって移動体デバイス１０４にブロードキャストされ得る。移動体１０４は、そのようなコンテンツを受信して（例えば、視覚的出力（単数または複数）、音声出力（単数または複数）、・・・を用いることによって）出力し得る。さらに、ＦＬＯ技術は、直交周波数分割多重化（ＯＦＤＭ）を利用し得る。ＯＦＤＭ等の周波数分割に基づく技術は、通常、周波数スペクトルを別個のチャネルに分割する、例えば、周波数スペクトルは、均一な帯域幅群に分割され得る。ＯＦＤＭは、全システム帯域幅を複数の直交周波数チャネルに効果的に分割する。さらに、ＯＦＤＭシステムは、複数の基地局１０２に関する複数のデータ送信の間での直交性を達成するために時および／または周波数分割多重化を使用し得る。
【００２２】
従来的なＦＬＯシステムでは、移動体デバイス１０４は、ネットワーク、サービスエリアおよび／またはサービス関連問題に関するフィードバックを提供することが不可能であり得る。さらに、ＦＬＯ技術が逆方向リンクの利用をなしで済ませる、および／または制限された逆方向リンクを用いることに起因して、移動体デバイス１０４は基地局１０２（および／またはネットワーク運営センタ（図示せず）等の異種のネットワーク構成要素）に統計値および／またはデータを提供する能力が一般に欠如し得る。前述のフィードバックの欠如に関連する影響を軽減するために、システム１００は、監視とそのような監視されたデータの制御とを可能にする遠隔プローブ（図示せず）を利用し得る。そのような遠隔プローブは、基地局１０２からのＦＬＯ送信に関連して用いられる通信経路と比較して、代替的な制御および／または報告経路（図示せず）利用することが可能である。さらに、遠隔プローブは、特定の動作を実行するために遠隔で制御され得るが、特許請求される対象はそのように限定されない。
【００２３】
遠隔プローブを経由して取得される情報は、システム１００内での修正（単数または複数）を達成し、障害を特定し、サービスエリアを欠如するホットスポットおよび／または領域の位置を特定し、信号強度を評価し、遠隔プローブの動作を変更し、その他を行うために用いられ得る。遠隔プローブが固定位置に配置されてもよいし、および／または移動体であってもよいことを理解されたい。さらに、遠隔プローブは、１つ以上の移動体デバイス１０４と同様であってよく、従って、例示として、１つ以上の移動体デバイス１０４が携帯電話、ラップトップコンピュータ、その他であってよく、遠隔プローブが同様の携帯電話、ラップトップコンピュータ、その他であってよく、しかしながら、本特許請求の範囲は前述の例に限定されない。
【００２４】
図２に戻ると、示されているのは、フィードバック情報を生成するために、遠隔に配置されたデバイスを監視および／または制御する無線通信システム２００である。システム２００は、対応する逆方向リンク通信経路が欠如しているブロードキャストおよび／もしくはマルチキャスト経由で送信されるコンテンツならびに／またはそのようなコンテンツに関連する情報を帰路搬送することに関連して用いられ得るアーキテクチャの一例を示す。当業者は、特許請求される対象がシステム２００で提供される例に限定されないことを理解するであろう。
【００２５】
システム２００は、あらゆる種類のコンテンツをヘッドエンド（head end）２０４に提供するコンテンツプロバイダ（ＣＰ）２０２を含み得る。例えば、ＣＰ２０２は、リアルタイムおよび／または非リアルタイムのデータを提供し得る。ＣＰ２０２と同様の任意の数のコンテンツプロバイダ、および／またはヘッドエンド２０４と同様の任意の数のヘッドエンドがシステム２００に関連して利用され得る。さらに、ＣＰ２０２は、音声、映像、ＩＰデータキャスト、またはあらゆる異なる種類のコンテンツをヘッドエンド２０４に伝達し得る。任意の数のソースからのコンテンツがヘッドエンド（単数または複数）２０４および／またはリアルタイムサーバ（ＲＴＳ）２０６で取得され得る。その後、コンテンツがＲＴＳ２０６からマルチプレクサ（ＭＵＸ）２０８に転送され得る。異なるソースからのコンテンツが、ＭＵＸ２０８によって多重化され得る。多重化されたデータが（例えば、Ｋｕ帯域を介して）衛星２１０に送信され得て、その後に、種々のローカル領域動作インフラストラクチャ（ＬＯＩｓ）に伝達される。ＬＯＩは、衛星２１０から下りリンク信号を取得し、励振器２１４にデータを提供する統合速度復号器（integrated rate decoder）を含み得る。励振器２１４は、基地局２１６による任意の数の移動体デバイス２１８への送信を可能にするために、データをラジオ周波数に変換し得る。基地局２１６は、１つ以上の移動体デバイス２１８にコンテンツをブロードキャストおよび／またはマルチキャストするためにＦＬＯ技術を利用し得て、従って、移動体２１８から基地局２１６への少しの逆方向リンクまたは逆方向リンクなしの送信が生じ得る。移動体２１８は、移動体であってもよいし、および／または固定位置に配置されてもよい。さらに、移動体デバイス２１８は、断続的に利用されてもよいし、および／または制限されたもしくは不使用ダイバーシティに関連付けられてもよい。移動体デバイス２１８は、基地局２１６からのコンテンツを取得し、（例えば、ディスプレイ（単数または複数）、スピーカ（単数または複数）、・・・を用いて）そのようなコンテンツを出力（例えば、再生、・・・）し得る。
【００２６】
遠隔エージェント２２０は、ＬＯＩに関連するノード（単数または複数）を監視し得る。例えば、遠隔エージェント２２０は、ＩＲＤ２１２および／もしくは励振器２１４を監視し、ならびに／またはそれらに関連するデータを収集し得る。付加的または代替的に、遠隔プローブ２２２が基地局２１６によって提供される送信（単数または複数）を受信してよく、遠隔エージェント２２０が遠隔プローブ２２２を監視および／または制御してよい。例えば、遠隔プローブ２２２は、移動体デバイス２１８と同様であってよく、従って、遠隔プローブ２２２のシステム２００との対話は、移動体デバイス２１８の対話と同様であってよい。例示によると、遠隔プローブ２２２は、基地局２１６によってチャネルを介して送信される音声および／または映像コンテンツを取得し得る。コンテンツは遠隔エージェント２２０に提供され得て、その後に遠隔エージェント２２０が無線領域ネットワーク（ＷＡＮ）２２６経由でネットワーク運営センタ（ＮＯＣ）２２４にコンテンツを帰路搬送し得る。遠隔エージェント２２０は、ＮＯＣ２２４に対しデータを送信および／または取得するためにあらゆる通信経路を利用してよい。あらゆる種類の接続性（例えば、有線、無線、それらの組み合わせ、・・・）が用いられてよいことを理解されたい。一例によると、あらゆる２Ｇ、３Ｇ、４Ｇ、その他のプロトコルが利用され得る。例えば、限定された帯域幅データを報告するために１ｘ逆方向リンクが用いられ得る。さらなる例示によると、音声および／または映像サービスデータ等の高帯域幅データを転送するために専用の有線ブロードバンドリンクが利用され得る。
【００２７】
ＮＯＣ２２４は、システム２００内の種々の位置からのデータを監視し得る。例えば、ＮＯＣ２２４は、ＣＰ２０２、ＲＴＳ２０６および／またはＭＵＸ２０８によって生成されるデータを取得し得る。さらに、ＮＯＣ２２４は、遠隔エージェント２２０からの監視された情報を取得し得る。従って、ＮＯＣ２２４は、システム２００内のあらゆる通信経路を監視し得て、それゆえに、システム２００内のあらゆる問題のあるリンク（単数または複数）を特定し得る。対照的に、制限された逆方向リンクまたは逆方向リンクなしのＦＬＯを用いる従来的な技術は、通常、フィードバックの欠如に起因してＬＯＩｓで生じる通信の監視を可能にすることができない。従って、そのような一般的なシステムは、ＣＰ２０２、ＲＴＳ２０６および／またはＭＵＸ２０８からの出力を評価することが可能であるが、フィードバックを提供し、および／または衛星２１０からの下り方向リンク送信の後の制御を可能にすることができない。
【００２８】
図３を参照すると、異なる地理的位置でのブロードキャストおよび／もしくはマルチキャスト送信を監視ならびに／または制御するシステム３００が示されている。システム３００は、ネットワーク運営センタ（ＮＯＣ）３０２および任意の数の遠隔エージェント３０４を含み得る。遠隔エージェント３０４があらゆる地理的位置に配置されてよく、そのような局所に関する状態を監視および／または制御するために用いられてよいことを理解されたい。例示として、遠隔エージェント３０４のうちの１つがカリフォルニアにあるＦＬＯ送信を用いる基地局と関連付けられてよく、遠隔エージェント３０４のうちの異なる１つがフロリダにある同様の基地局に関連付けられてよいが、特許請求される対象は前述の例に限定されない。
【００２９】
ＮＯＣ３０２は、１つ以上の遠隔エージェント３０４から情報を取得し得る。例えば、ＮＯＣ３０２は、そのような情報を診断、ネットワーク計画および同等物に関して利用し得る。さらに、種々の位置からブロードキャストおよび／またはマルチキャストコンテンツ（例えば、音声、映像、ＩＰデータキャスト、・・・）を取得することによって、ＮＯＣ３０２は、コンテンツの集中位置での同時検討を可能にし得る。従って、例えば、異なる位置に対応するサービスの品質の差異が評価され得る。ＮＯＣ３０２および／または遠隔エージェント３０２（および／または異なるデータ蓄積（単数または複数））がＦＬＯ送信に関連するデータを記憶し得ることが意図されている。例示として、音声および／または映像パケットが（例えば、遠隔プローブ（単数または複数）を利用して、任意の異なるノードから遠隔エージェント３０４によって受信され、・・・）取得され、その後に分析のために保持され得る。さらに、ＮＯＣ３０２は、遠隔エージェント３０４から取得されるデータの評価に基づいて修正を達成し得る。例えば、ＮＯＣ３０２は、遠隔エージェント３０４のうちの１つに、関連する遠隔プローブの受信チャネル、帰路搬送されるデータおよび同等物の変更を生じさせる信号を提供し得る。付加的または代替的に、示されていないが、ＮＯＣ３０２は、マルチプレクサ（例えば、図２のＭＵＸ２０８、・・・）によって出力される変調されたコンテンツを変更するために異なるネットワークノードと通信し得る。さらに、異なるノードと対話することによって、ＮＯＣ３０２は、例えば、障害（単数または複数）を特定するために種々のノードからのデータを相互に関連付け得る。
【００３０】
大量の情報が、操作可能な媒体デバイス（単数または複数）（例えば、遠隔プローブ（単数または複数））から遠隔エージェント３０４経由で収集され得る。この情報は、エンド間サービス監視、デバイス性能特性解析、ネットワーク性能の調整、その他に有用であり得る。収集され得る幅広い種類の情報は、サービスデータ、システム情報、デバイスの物理層性能データおよび同等物を含む。以下は、収集され得る情報を説明する。
【００３１】
サービス関連情報は、監視目的で収集され得る。音声および／または映像チャネルが監視され得る。例えば、遠隔プローブは、ＮＯＣ３０２および／または遠隔エージェント３０４によって、特定の媒体プログラムを調整し、タイミング情報と共に音声および／または映像データを収集し、ならびにデータを診断インターフェース（例えば、遠隔エージェント３０４）に送信するように指示され得る。データは、このインターフェースで収集され、再生のためにＮＯＣ３０２に転送され得る。
【００３２】
別の例示によると、ＩＰデータキャストデータがＮＯＣ３０２によって監視され得る。ＩＰデータキャストフロー（単数または複数）で到達するデータを収集するために遠隔プローブが利用され得る。収集されたデータは、ＩＰデータキャストサービスの品質に重要な知見を提供することが可能である。例えば、収集されたデータの評価が、データ損失の程度、ＭＵＸスケジューリングアルゴリズムに起因する遅延の程度、その他を示し得る。
【００３３】
遠隔プローブは、例えば、種々の統計値を導出してシステムの挙動を理解するために他の関連システム広範情報を監視するようにプログラミングされ得る。例示として、監視されてＮＯＣ３０２に提供され得る多種多様な情報は、媒体プログラム案内（Media Program Guide）、通知データ、その他に関連していてよい。付加的または代替的に、鍵（keys）の更新、送信モードの変更、遠隔プローブに生じている障害、および同等物のように、アプリケーションレベルのイベントが監視され得る。
【００３４】
ネットワーク関連情報が、遠隔プローブ（単数または複数）および／または遠隔エージェント（単数または複数）３０４によって収集され、ＮＯＣ３０２に提供されてよい。ネットワーク関連情報は、遠隔プローブ（単数または複数）が移動体である場合に特に有用であり得る。ネットワーク関連情報は、例えば、ローカル領域および広域制御チャネル情報（Local and Wide area Control Channel Information）（例えば、ＲＦチャネル説明、近隣リスト、・・・）、サービス広域動作インフラストラクチャ（ＷＯＩ）および／またはローカル領域動作インフラストラクチャ（ＬＯＩ）、遠隔プローブによって見られる広域差分演算器（ＷＩＤ）および／またはローカル領域差分演算器（ＬＩＤ）、ローカル領域／広域でのフロー数、遠隔プローブが確認できる送信機（単数または複数）、デバイスにサービスを提供している現在の送信機、その他を含み得る。
【００３５】
物理層性能データは、付加的または代替的に監視され得る。遠隔プローブは、ＦＬＯ試験アプリケーションプロトコル（ＦＴＡＰ）で指定された物理層性能データを収集し得る。遠隔プローブは、ＦＬＯ多重化上でスケジューリングされた特定のＦＴＡサービスフローを復号し、統計値を収集し、遠隔プローブで復号されたデータをネットワーク内で発生したデータに対して解析するためにＦＴＡＰサーバに報告を返す。
【００３６】
あらゆる種類の物理層性能データが収集され得る。例えば、広域／ローカルＯＩＳ上の消去情報および／またはスーパーフレーム（superframe）でスケジューリングされたフローの数等のオーバーヘッド情報シンボル（ＯＩＳ）性能データが取得され得る。遠隔プローブによって見られるＷＩＤ／ＬＩＤ等の広域識別チャネル（ＷＩＣ）／ローカル領域識別チャネル（ＬＩＣ）性能が収集され得る。データ媒体ＦＬＯ論理チャネル（ＭＬＣ）性能は、付加的または代替的に、種々の送信モード（例えば、受信データの周期的冗長検査（ＣＲＣ）特性、リードソロモン（Ｒ／Ｓ）コードの性能、・・・）の下でＦＴＡフローに関して集められてよい。さらに、拡張フローに関し、受信データのＣＲＣ特性および／またはＲ／Ｓコードの性能は、基部および拡張層に対して独立して収集され得る。別の例によると、サービスエリア情報が同様に収集され得る。移動体の状態に基づいて、遠隔プローブは、位置情報、受信された信号強度インジケータ（ＲＳＳＩ）、ＯＩＳ上のパケット誤り率（ＰＥＲ）、制御チャネルおよび／またはあらゆるサービスフロー、その他に関する、異なる位置での測定値を記録し得る。さらに、そのような記録されたサービスエリアデータは、サービスエリアマップを生成し、および／または複数の送信機からの重なり合うサービスエリアを備える領域と同様にサービスエリアの端部の条件下でのデバイス性能を特性化するために、（例えば、ＮＯＣ３０２、１つ以上の遠隔エージェント３０４、・・・によって）利用され得る。
【００３７】
別の例示によると、映像品質パラメータが解析され得る。例えば、（例えば、遠隔プローブと関連付けられた）媒体プレーヤが、映像品質測定パラメータを提供し得る。これらのパラメータは、音声／映像品質の客観的尺度を生成するためにデバイスによって報告され得る。
【００３８】
図４を参照すると、制限された逆方向リンクまたは逆方向リンクなしの通信を用いたブロードキャストおよび／またはマルチキャスト送信に関連付けられるサービスの品質を評価および／または修正するシステム４００が示されている。システム４００は、遠隔エージェント４０２と、監視および／または制御され得る任意の数のノード４０４とを含む。例えば、ノード４０４は、遠隔プローブ、ＩＲＤ、励振器、端末サーバおよび同等物のうちの１つ以上であってよい。付加的または代替的に、ノード４０４がＬＯＩに関連付けられてもよい。遠隔エージェント１０２は、パケット誤り、ＲＳＳＩ、サービスデータ（例えば、音声／映像データ、ＦＴＡＰ、・・・）、映像品質パラメータ等を１つ以上のノード４０４から収集することを達成し得る。遠隔エージェント４０２およびノード４０４は、あらゆる種類の有線、無線、それらの組み合わせ、その他の接続を介して通信し得る。さらに、遠隔エージェント４０２は、無線インターフェース（例えば、誤り率、信号強度、サービスエリア、・・・）、アプリケーション／サービス層（例えば、ユーザ経験、・・・）、その他を監視し得る。さらに、示されていないが、遠隔エージェント１０２は、例えば、限定された帯域幅データを報告するための１ｘ逆方向リンク、高帯域幅データを転送するための専用有線ブロードバンドリンク等を経由して、１つ以上のネットワーク運営センタ（ＮＯＣｓ）と通信し得る。遠隔エージェント４０２および／またはＮＯＣｓは、無線インターフェースと媒体アプリケーション層との間の相互の関連付けを実行してよく、従って、デバイスレベルの障害が特定されてもよいし、閾値がネットワークイベントと相互の関連付けされてもよいし、その他が行われてもよい。
【００３９】
図５に戻ると、ＦＬＯ送信（単数または複数）に関連付けられるデータの収集に関して用いられ得る遠隔プローブ５０２の例示的なアーキテクチャが示されている。遠隔プローブ５０２は、ＦＬＯチップ５０４および非ＦＬＯチップ５０６を含み得る。アプリケーションは、ブロードキャストおよび／またはマルチキャストを介して送信されるコンテンツを受信するＦＬＯチップ５０４上で実行され得る。ＦＬＯチップ５０４に関連付けられた（任意の数の異なる層を含み得る）データスタック５０８から中継エージェント５１０にコンテンツが提供され得る。例えば、フローデータおよび／または診断情報が中継エージェント５１０に提供され得る。非ＦＬＯチップ５０６は、受信されたコンテンツを再生するために用いられ得る。例えば、コンテンツは、（例えば、ディスプレイ（単数または複数）、スピーカ（単数または複数）、・・・を利用して）出力を生成するために、コンテンツがデータスタック５１２および／またはＱｔｖプレーヤ／復号器５１４に提供され得る。
【００４０】
中継エージェント５１０は、帰路を介して、例えば、遠隔エージェント、ネットワーク運営センタ、その他等の異なる構成要素（単数または複数）（図示せず）に、フローデータ、診断、および同等物を転送し得る。さらに、中継エージェント５１０は、そのような異なる構成要素（単数または複数）と双方向通信を実行し得る。従って、異なる構成要素は、（例えば、受信コンテンツに関するチャネル、帰路を介して返すための指示データ、・・・を変更するために）中継エージェント５１０に制御信号を提供してよく、従って、中継エージェント５１０は、そのような変更を達成するために制御情報をデータスタック５０８および／またはＦＬＯチップ５０４に送信し得るが、特許請求される対象は、そのように限定されない。
【００４１】
図６〜８を参照すると、ブロードキャストおよび／またはマルチキャスト送信（単数または複数）を取得する移動体デバイス（単数または複数）を遠隔で監視および／または制御することに関する方法論が示されている。例えば、方法論は、そのようなデバイスをＦＤＭＡ環境、ＯＦＤＭＡ環境、ＣＤＭＡ環境、ＷＣＤＭＡ環境、ＴＤＭＡ環境、ＳＤＭＡ環境、またはあらゆる他の適切な無線環境で監視および／または制御することに関し得る。例示の簡潔化を目的として、方法論が一連の動作として示されて説明されているが、動作によっては、１つ以上の実施形態に従って、本明細書で示されて説明されるのとは異なる順序で、および／または別の動作と同時に行われ得るため、方法論が動作の順序によって制限されないことを認識および理解するべきであろう。例えば、当業者は、方法論が、状態図で示されるように、一連の相関する状態またはイベントとして代替的に示され得ることを認識および理解するであろう。さらに、１つ以上の実施形態による方法論を実行するために、示される動作の全ては必要とされない可能性がある。
【００４２】
図６を参照すると、ブロードキャストデバイスの遠隔での監視を容易化する方法論６００が示されている。６０２で、ブロードキャスト送信に関連する収集された情報が操作可能な媒体デバイスから受信され得る。例えば、サービスデータ、システム情報、物理層性能データ、ネットワーク情報、デバイス性能情報等のように、あらゆる種類の収集された情報が取得され得る。付加的または代替的に、診断情報、呼処理情報および／またはデバイス位置情報が受信され得る。さらに、ブロードキャスト送信は、逆方向リンクの欠落または制限された逆方向リンクに関連付けられ得る。一例によると、示されていないが、デバイスに関するあらゆる異なる動作パラメータを収集および／または変更するようにデータを変更するために、操作可能な媒体デバイスに制御情報が送信され得ることを理解されたい。さらに、収集された情報が複数の異なる操作可能な媒体デバイスから受信され得る。
【００４３】
６０４で、媒体デバイスおよびネットワークのうちの少なくとも１つの性能が、収集された情報に基づいて監視され得る。従って、収集された情報が、エンド間サービス監視、デバイス性能特性解析、ネットワーク性能の調整、その他に関して利用され得る。例示として、操作可能な媒体デバイスによって取得される映像および／または音声パケットが、デバイスおよび／またはネットワークの性能を監視するために解析され得る。６０６で、監視された性能に基づいて、後のブロードキャスト送信が変更され得る。例えば、監視が、特定の通信リンクが適切に動作していないことの特定につながった場合、そのようなリンクは、後のブロードキャスト送信の改善を容易化するために修正され得る。付加的または代替的に、後のブロードキャスト送信（単数または複数）に関する動作パラメータを修正するために、操作可能な媒体デバイスが遠隔で制御されてよく、従って、チャネルが変更されてもよいし、収集されるデータが修正されてもよいし、その他が行われてもよい。
【００４４】
図７を参照すると、ブロードキャスト送信に関連するデータの収集および／または帰路搬送を容易化する方法論７００が示されている。７０２で、ブロードキャスト送信が、取得された制御情報に従って受信され得る。制御情報は、例えば、動作に関するチャネル、時間、位置、その他を示し得る。７０４で、ブロードキャスト送信に関するデータが収集され得る。一例によると、データが制御情報に従って収集されてよく、従って、制御情報は、保持するためのデータの種類（例えば、音声および／または映像パケット、信号強度、ネットワーク情報、・・・）を特定し得る。例示目的で、収集されたデータが記憶され、受信に応じて送信され、その他がなされ得る。７０６で、収集されたデータが帰路を介して送信され得る。一例によると、データは、ネットワーク運営センタ、遠隔エージェント、その他に帰路搬送され得る。さらに、帰路は、例えば、１ｘ逆方向リンク、専用有線ブロードバンドリンク、および同等物等のあらゆる通信経路を利用し得る。
【００４５】
図８に戻ると、ローカル領域動作インフラストラクチャ（単数または複数）（ＬＯＩ（単数または複数））に関連する複数のノードからのデータの集合化を容易化する方法論８００が示されている。８０２で、媒体デバイスの動作が制御され得る。例えば、制御情報が媒体デバイスに送信され得る。８０４で、ブロードキャスト送信に関連するデータが、媒体デバイスを含む複数のノードから収集され得る。例として、１つ以上のノードは、ＩＲＤ、励振器、端末サーバ、その他であってよいが、特許請求される対象はそのように限定されない。例えば、障害、診断、統計値、受信パケット等に関する情報のように、あらゆるデータが収集され得る。８０６において、収集されたデータは帰路を介して送信され得る。制限された逆方向リンクまたは逆方向リンクなしを用いる従来的なブロードキャスト技術は、多くの場合にＬＯＩ（単数または複数）に関連するノードからのフィードバックを可能にすることができないのに対し、方法論８００は、ＬＯＩ（単数または複数）に関連する任意の数のノードからデータを収集することによって、そのようなフィードバックの提供を可能にする。
【００４６】
本明細書で説明される１つ以上の態様によると、遠隔の媒体デバイスの制御、そのようなデバイスの監視、その他に関する推測がなされ得る。本明細書で用いられるように、用語「推測する」または「推測」は、一般に、イベントおよび／またはデータを介して捕捉される観測結果のセットから、システム、環境および／またはユーザの状態を推論または推測するプロセスを示す。推測は、例えば、特定の状況または動作を特定するために用いられてもよいし、状態にわたる確率分布を生成してもよい。推測は、確率的−即ち、データおよびイベントの考察に基づく対象の状態にわたる確率分布の計算結果であってよい。さらに、推測は、イベントおよび／またはデータのセットから高レベルイベントを構成することのために用いられる技術を示してよい。そのような推測は、イベントが近接時間的に密接に（in close temporal proximity）相関しているかどうかに関わらず、かつイベントおよびデータが１つまたは複数のイベントおよびデータのソースから来ているかどうかに関わらず、観測されたイベントおよび／または記憶されたイベントデータのセットから新規のイベントまたは動作の創出をもたらす。
【００４７】
一例によると、上記で示された１つ以上の方法は、（例えば、集合化するための利用可能なデータのサブセット、・・・を）収集するために、制限された逆方向リンクまたは逆方向リンクなしのブロードキャスト送信に関連するデータを特定することに関する推測をなすことを含み得る。さらなる例示として、推測は、障害、劣化したサービス、その他を生じる通信システム内のリンク（単数または複数）に関してなされ得る。前述の例は事実上、例示的なものであり、なされ得る推測の数、または本明細書で説明される種々の実施形態および／もしくは方法に関連してそのような推測がなされるやり方を限定することを意図していないことを理解されたい。
【００４８】
図９は、ブロードキャストおよび／またはマルチキャスト送信（単数または複数）に関連する監視および／またはフィードバックの提供を容易化するユーザデバイス９００（例えば、遠隔プローブ、・・・）の説明図である。ユーザデバイス９００は、例えば、受信アンテナ（図示せず）から信号を受信し、受信された信号にその上で一般的な動作（例えば、フィルタリング、増幅、周波数逓降変換、その他）を実行し、サンプルを取得するために調整された信号をディジタル化する受信機９０２を備える。受信機９０２は、例えば、ＭＭＳＥ受信機であってよく、受信されたシンボルを復調してそれらをチャネル推定のためにプロセッサ９０６に提供することが可能な復調器９０４を備え得る。プロセッサ９０６は、受信機９０２によって受信された情報を解析し、かつ／もしくは送信機９１６による送信のための情報を生成すること専用のプロセッサ、ユーザデバイス９００の１つ以上の構成要素を制御するプロセッサ、および／または受信機９０２によって受信された情報を解析し、送信機９１６による送信のための情報を生成し、かつユーザデバイス９００の１つ以上の構成要素を制御することの両方を行うプロセッサであってよい。
【００４９】
ユーザデバイス９００は、プロセッサ９０６に動作可能に結合され、送信されるデータ、受信されるデータ、利用可能なチャネルに関する情報、解析された信号および／または干渉強度に関連するデータ、割り当てられたチャネル、出力、速度または同等物に関する情報、ならびにチャネルの推定およびチャネルを介した通信に関するあらゆるその他の適切な情報を記憶し得るメモリ９０８を付加的に備えてよい。メモリ９０８は、（例えば、性能に基づいて、能力に基づいて、その他）チャネルの推定および／または利用に関連付けられるプロトコルおよび／またはアルゴリズムを付加的に記憶し得る。
【００５０】
本明細書で説明されるデータ蓄積（例えば、メモリ９０８）が、揮発性メモリもしくは不揮発性メモリのいずれかであってもよいし、または揮発性および不揮発性メモリを共に含んでもよいことを理解されたい。限定ではなく、例示として、不揮発性メモリは、読み出し専用メモリ（ＲＯＭ）、プログラム可能ＲＯＭ（ＰＲＯＭ）、電気的プログラム可能ＲＯＭ（ＥＰＲＯＭ）、電気的消去可能ＰＲＯＭ（ＥＥＰＲＯＭ）、またはフラッシュメモリを含んでよい。揮発性メモリは、外部キャッシュメモリとして機能するランダムアクセスメモリ（ＲＡＭ）を含んでよい。限定ではなく例示として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、同期リンクＤＲＡＭ（ＳＬＤＲＡＭ）、およびダイレクトＲａｍｂｕｓＲＡＭ（ＤＲＲＡＭ）等の多数の形式で利用可能である。本システムおよび本方法のメモリ９０８は、限定ではなく、これらおよびあらゆるその他の適切な種類のメモリを備えることが意図される。
【００５１】
さらに、受信機９０２は、受信される制御情報に応じてユーザデバイス９００の動作を変更する相互作用修正器（interaction modifier）９１０に動作可能に結合されている。例えば、受信機９０２は、遠隔のソース（図示せず）から制御情報を取得してこの制御情報を相互作用修正器９１０に制御情報を提供し得る。制御情報に応じて、相互作用修正器９１０は、ユーザデバイス９００に関連するあらゆる動作パラメータを変更し得る。限定ではなく、例示として、相互作用修正器９１０は、収集する情報の種類（単数または複数）、帰路搬送する情報の種類（単数または複数）、位置、オン／オフ状態、ブロードキャストおよび／またはマルチキャスト送信（単数または複数）を取得する基地局（単数または複数）、その他の変更を容易化し得る制御情報を取得し得る。
【００５２】
さらに、ブロードキャストデータアシミレータ（broadcast data assimilator）９１２は、受信機９０２を介して取得されるブロードキャストおよび／またはマルチキャストデータを評価し得る。ブロードキャストデータアシミレータ９１２は、相互作用修正器９１０によって特定される動作パラメータを用い得る。さらに、ブロードキャストアシミレータ９１２は、ブロードキャストおよび／またはマルチキャスト送信（単数または複数）に関連するデータを集約し得る。集約されたデータは、その後、更なる評価のために遠隔位置に送信され得る。ユーザデバイス９００は、変調器９１４と、例えば、基地局、別のユーザデバイス、ＮＯＣ、遠隔エージェント、その他に信号を送信する送信機９１６とをさらに備え得る。相互作用修正器９１０、ブロードキャストデータアシミレータ９１２および／または変調器９１４は、プロセッサ９０６から分離して示されているが、プロセッサ９０６または複数のプロセッサ（図示せず）の一部であってもよいことを理解されたい。
【００５３】
図１０は、遠隔媒体デバイス（単数または複数）の監視および／または制御を容易化するシステム１０００の説明図である。システム１０００は、複数の受信アンテナ１００６を介して１つ以上のユーザデバイス１００４から信号（単数または複数）を受信する受信機１０１０を有するアクセスポイント１００２（例えば、基地局、ＮＯＣ、・・・）と、送信アンテナ１００８を介して１つ以上のユーザデバイス１００４に送信する送信機１０２４とを備える。受信機１０１０は、受信アンテナ１００６から情報を受信することが可能であり、受信された情報を復調する復調器１０１２に動作可能に関連付けられている。復調されたシンボルは、図９に関して上述されたプロセッサと同様であり得て、信号（例えば、パイロット）強度および／もしくは干渉強度に関する情報、ユーザデバイス（単数または複数）１００４に対して送信もしくは受信されるデータ、ならびに／または本明細書で示す種々の動作および機能の実行に関するあらゆるその他の適切な情報を記憶するメモリ１０１６に結合されているプロセッサ１０１４によって解析される。プロセッサ１０１４は、遠隔に配置されたブロードキャスト媒体デバイスによって収集される取得データを評価する遠隔デバイス監視装置１０１８にさらに結合されている。ブロードキャスト媒体デバイスは従来的には逆方向リンクの欠落または制限された逆方向リンクに関連付けられ得て、従って、そのようなブロードキャスト媒体デバイスは、通常、フィードバックを提供することができないことを理解されたい。遠隔デバイス監視装置１０１８は、例えば、サービスレベル、物理層、その他でブロードキャスト媒体デバイスを評価し得る。さらに、遠隔デバイス監視装置１０１８は、アクセスポイント１００２でブロードキャスト媒体デバイスを用いて取得される映像および／または音声データの再生を可能にし得る。
【００５４】
遠隔デバイス監視装置１０１８は、遠隔に配置されたブロードキャスト媒体デバイスに関する動作パラメータの修正を可能にし得る遠隔デバイス動作コントローラ１０２０にさらに結合され得る。例えば、遠隔デバイス監視装置１０１８によって特定された測定状態（例えば、障害、劣化信号強度、・・・）に基づいて、遠隔デバイス動作コントローラ１０２０は、制御情報を生成し得る。そのような制御情報は、遠隔デバイス動作コントローラ１０２０によって変調器１０２２に提供され得る。送信機１０２６がアンテナ１００８を介してブロードキャスト媒体デバイス（例えば、ユーザデバイス１００４）に送信することにより、変調器１０２０は送信のための制御情報を多重化することが可能である。プロセッサ１０１４から分離して示されているが、遠隔デバイス監視装置１０１８、遠隔デバイス動作コントローラ１０２０および／または変調器１０２２は、プロセッサ１０１４または複数のプロセッサ（図示せず）の一部であってもよい。
【００５５】
図１１は、例示的な無線通信システム１１００を示す。無線通信システム１１００は、簡潔さの目的のために、１つのアクセスポイントおよび１つの端末を示す。しかしながら、システムが２つ以上のアクセスポイントおよび／または２つ以上の端末を含み得て、付加的なアクセスポイントおよび／または端末は、以下で説明される例示的なアクセスポイントおよび／または端末と概ね同様であるかまたは異なっていてもよいことを理解されたい。さらに、アクセスポイントおよび／または端末は、それらの間の無線通信を容易化するために、本明細書で説明されるシステム（図１〜５および図９〜１０）および／または方法（図６〜８）を用いてよいことを理解されたい。
【００５６】
次に図１１を参照すると、下りリンク上、アクセスポイント１１０５で、送信（ＴＸ）データプロセッサ１１１０は、トラヒックデータを受信し、フォーマットし、符号化し、インタリーブし、および変調し（またはシンボルマッピングし）、変調シンボル（「データシンボル」）を提供する。シンボル変調器１１１５は、データシンボルおよびパイロットシンボルを受信して処理し、シンボルのストリームを提供する。シンボル変調器１１１５は、データおよびパイロットシンボルを多重化し、それらを送信機ユニット（ＴＭＴＲ）１１２０に提供する。各送信シンボルは、データシンボル、パイロットシンボルまたはゼロの信号値であってよい。パイロットシンボルは、各シンボル周期で連続的に送信され得る。パイロットシンボルは、周波数分割多重化（ＦＤＭ）、直交周波数分割多重化（ＯＦＤＭ）、時分割多重化（ＴＤＭ）、周波数分割多重化（ＦＤＭ）または符号分割多重化（ＣＤＭ）であってよい。
【００５７】
ＴＭＴＲ１１２０は、シンボルのストリームを受信し、１つ以上のアナログ信号に変換し、さらに、無線チャネルを介した送信に適切な下りリンク信号を生成するためにアナログ信号を調整（例えば、増幅、フィルタリング、および周波数逓昇変換）する。下りリンク信号は、次に、アンテナ１１２５を介して端末に送信される。端末１１３０で、アンテナ１１３５は、下りリンク信号を受信し、受信された信号を受信機ユニット（ＲＣＶＲ）１１４０に提供する。受信機ユニット１１４０は、受信された信号を調整（例えば、フィルタリング、増幅、および周波数逓減変換）し、サンプルを取得するために、調整された信号をディジタル化する。シンボル変調器１１４５は、受信されたパイロット信号を変調し、チャンネル推定のためにプロセッサ１１５０に提供する。シンボル変調器１１４５は、さらに、プロセッサ１１５０から下りリンクに関する周波数応答推定を受信し、（送信されたデータシンボルの推定である）データシンボル推定を取得するために受信されたデータシンボル上でデータ変調を実行し、送信されたトラヒックデータを回復するために、データシンボル推定を復調し（即ち、シンボルデマッピングし）、デインタリーブし、データシンボル推定を復号化するＲＸデータプロセッサ１１５５にデータシンボル推定を提供する。シンボル復調器１１４５およびＲＸデータプロセッサ１１５５による処理は、シンボル変調器１１１５およびＴＸデータプロセッサ１１１０による処理と各々、相補的である。
【００５８】
上りリンク上で、ＴＸデータプロセッサ１１６０はトラヒックデータを処理し、データシンボルを提供する。シンボル変調器１１６５は、パイロットシンボルを用いてデータシンボルを受信して多重化し、変調を実行し、シンボルのストリームを提供する。送信機ユニット１１７０は、次に、上りリンク信号を生成するために、シンボルのストリームを受信および処理し、上りリンク信号は、アンテナ１１３５によってアクセスポイント１１０５に送信される。
【００５９】
アクセスポイント１１０５で、端末１１３０からの上りリンク信号がアンテナ１１２５によって受信され、サンプルを取得するために受信機ユニット１１７５によって処理される。シンボル変調器１１８０は、次に、サンプルを処理し、受信されたパイロットシンボルおよび上りリンクに関するデータシンボル推定を提供する。ＲＸデータプロセッサ１１８５は、端末１１３０によって送信されたトラヒックデータを回復するために、データシンボル推定を処理する。プロセッサ１１９０は、上りリンク上の各動作中の端末送信に対してチャネル推定を実行する。複数の端末が、それらに各々割り当てられたパイロット副帯域（subband）のセット上で上りリンク上で同時にパイロットを送信してよく、ここでパイロット副帯域セットは組み合わせられてよい。
【００６０】
プロセッサ１１９０および１１５０は、各々、アクセスポイント１１０５および端末１１３０での動作を方向付ける（例えば、制御、調整、管理、その他を行う）。各プロセッサ１１９０および１１５０は、プログラムコードおよびデータを記憶するメモリユニット（図示せず）に関連付けられ得る。プロセッサ１１９０および１１５０は、さらに、上りリンクおよび下りリンクに対する周波数およびインパルス応答推定を各々、導出するために計算を実行し得る。
【００６１】
多元アクセスシステム（例えば、ＦＤＭＡ、ＯＦＤＭＡ、ＣＤＭＡ、ＴＤＭＡ、その他）に対し、複数の端末が上りリンク上で同時に送信し得る。そのようなシステムに対し、パイロット副帯域が異なる端末の間で共有され得る。各端末に対するパイロット副帯域が動作する帯域全体（場合により、帯域端部を除く）に広がる場合、チャネル推定技術が使用され得る。各端末に対する周波数ダイバーシティを取得するために、そのようなパイロット副帯域構造が望ましいであろう。本明細書で説明される技術は、種々の手段で実装され得る。例えば、これらの技術は、ハードウェア、ソフトウェアまたはそれらの組み合わせで実装され得る。ハードウェア実装に関し、チャネル推定に対し使用される処理ユニットは、１つ以上の特定用途向け集積回路（ＡＳＩＣｓ）、ディジタル信号プロセッサ（ＤＳＰｓ）、ディジタル信号処理デバイス（ＤＳＰＤｓ）、プログラム可能論理デバイス（ＰＬＤｓ）、フィールドプログラム可能ゲートアレイ（ＦＰＧＡｓ）、プロセッサ、コントローラ、マイクロコントローラ、マイクロプロセッサ、本明細書で説明される機能を実行するために設計されたその他の電子ユニット、またはそれらの組み合わせの範囲内で実装され得る。ソフトウェアでは、本明細書で説明される機能を実行するモジュール（例えば、プロシージャ、関数、等など）を介して実装され得る。ソフトウェアコードは、メモリユニットに記憶され、プロセッサ１１９０および１１５０によって実行され得る。
【００６２】
図１２は、マルチメディアコンテンツフローを生成してデータネットワークを介して転送する転送システムの一実施形態を備えている通信ネットワーク１２００の一実施形態を示す。例えば、転送システムは、ブロードキャスト配信のためにコンテンツプロバイダネットワークから無線アクセスネットワークにコンテンツクリップを転送することの使用に対して適切である。
【００６３】
ネットワーク１２００は、コンテンツプロバイダ（ＣＰ）１２０２、コンテンツプロバイダネットワーク１２０４、最適化されたブロードキャストネットワーク１２０６、および無線アクセスネットワーク１２０８を備えている。ネットワーク１２００は、携帯電話１２１２、携帯情報端末（ＰＤＡ）１２１４およびノートブック型コンピュータ１２１６を備えるデバイス１２１０をさらに含む。デバイス１２１０は、転送システムの１つ以上の実施形態に適切なデバイスのほんの一部を示す。図１２では、３つのデバイスが示されているが、実質的には任意の数のデバイスまたは任意の種類のデバイスが、転送システムの使用に適切であることに留意されたい。
【００６４】
コンテンツプロバイダ１２０２は、ネットワーク１２００のユーザに配信のためのコンテンツを提供するように動作する。コンテンツは、映像、音声、マルチメディアコンテンツ、クリップ、リアルタイムおよび非リアルタイムのコンテンツ、スクリプト、プログラム、データまたはあらゆる他の種類の適切なコンテンツを備えている。コンテンツプロバイダ１２０２は、配信のためにコンテンツプロバイダネットワーク１２０４にコンテンツを提供する。例えば、コンテンツプロバイダ１２０２は、任意の適切な種類の有線および／または無線通信リンクを備える通信リンク１２１８を介してコンテンツプロバイダネットワーク１２０４と通信する。
【００６５】
コンテンツプロバイダネットワーク１２０４は、配信のためのコンテンツをユーザに配信するように動作する有線および無線ネットワークの任意の組み合わせを備えている。コンテンツプロバイダネットワーク１２０４は、最適化されたブロードキャストネットワーク１２０６とリンク１２２０を介して通信する。リンク１２２０は、任意の適切な種類の有線および／または無線の通信リンクを備えている。最適化されたブロードキャストネットワーク１２０６は、高品質のコンテンツをブロードキャストするように設計された有線および無線ネットワークの任意の組み合わせを備えている。例えば、最適化されたブロードキャストネットワーク１２０６は、複数の最適化された通信チャネルを介して選択されたデバイスに高品質のコンテンツを配信するように最適化されている特殊な専門ネットワークであってよい。
【００６６】
１つ以上の実施形態では、転送システムは、配信のためのコンテンツプロバイダ１２０２から、無線アクセスネットワーク１２０８にあるブロードキャスト基地局（ＢＢＳ）１２２４と通信するように動作する、コンテンツプロバイダネットワーク１２０４にあるコンテンツサーバ（ＣＳ）１２２２にコンテンツプロバイダ１２０２からのコンテンツを配信するように動作する。ＣＳ１２２２およびＢＢＳ１２２４は、コンテンツプロバイダネットワーク１２０４が、デバイス１２１０へのブロードキャスト／マルチキャストのために、コンテンツフローの形式で無線アクセスネットワーク１２０８にコンテンツを配信することを可能にする転送インターフェース１２２６の１つ以上の実施形態を使用して通信する。転送インターフェース１２２６は、制御インターフェース１２２８および運搬チャネル（bearer channel）１２３０を備えている。制御インターフェース１２２８は、コンテンツプロバイダネットワーク１２０４から無線アクセスネットワーク１２０８に流れるコンテンツフローを、ＣＳ１２２が付加し、変更し、取り消し、またはそうでなければ修正することを可能にするように動作する。運搬チャネル１２３０は、コンテンツプロバイダネットワーク１２０４から無線アクセスネットワーク１２０８にコンテンツフローを転送するように動作する。
【００６７】
１つ以上の実施形態では、無線アクセスネットワーク１２０８を介したブロードキャスト／マルチキャストのためにＢＢＳ１２２４に送信されるコンテンツフローをスケジューリングするためにＣＳ１２２２が転送インターフェース１２２６を使用する。例えば、コンテンツフローは、コンテンツプロバイダネットワーク１２０４を使用する配信のためにコンテンツプロバイダ１２０２によって提供された非リアルタイムコンテンツクリップを備えていてよい。一実施形態では、ＣＳ１２２２は、コンテンツクリップに関連する１つ以上のパラメータを決定するためにＢＢＳ１２２４と交渉する（negotiate）ように動作する。一度、ＢＢＳ１２２４がコンテンツクリップを受信すると、１つ以上のデバイス１２１０による受信のために、無線アクセスネットワーク１２０８を介してコンテンツクリップをブロードキャスト／マルチキャストする。デバイス１２１０のうちのいずれかが、コンテンツクリップを受信し、後でデバイスユーザによる視聴のためにキャッシュする（cache）ために認可されてよい。
【００６８】
例えば、デバイス１２１０は、無線アクセスネットワーク１２０８を介したブロードキャストに関してスケジューリングされたコンテンツのリストを表示するプログラム案内を提供するように動作するクライアントプログラム１２３２を備えている。デバイスユーザは、次に、リアルタイムで表示させるか、または後での視聴のためにキャッシュ１２３４に記憶されるように、任意の特定のコンテンツを選択し得る。例えば、コンテンツクリップは、夕方の時間の間のブロードキャストに関してスケジューリングされてよく、デバイス１２１２は、デバイスユーザがそのクリップを次の日に視聴し得るようにそのブロードキャストを受信してそのコンテンツクリップをキャッシュ１２３４にキャッシュするように動作する。通常、コンテンツは、加入者サービスの一部としてのブロードキャストであり、受信デバイスはブロードキャストを受信するために鍵を提供するか、そうでなければそれ自体を認証する必要があり得る。
【００６９】
１つ以上の実施形態では、転送システムは、ＣＳ１２２２がプログラム案内記録、プログラムコンテンツおよびその他の関連情報をコンテンツプロバイダ１２０２から受信することを可能にする。ＣＳ１２２２は、デバイス１２１０への配信のために、コンテンツを更新および／または生成する。
【００７０】
図１３は、コンテンツ配信システムの一実施形態での使用に適切なコンテンツプロバイダサーバ１３００の一実施形態を示す。例えば、サーバ１３００は、図１２のサーバ１２０２として使用され得る。サーバ１３００は、いずれも内部データバス１３１２に結合されている処理ロジック１３０２、リソースおよびインターフェース１３０４、ならびにトランシーバロジック１３１０を備えている。サーバ１３００は、同様にデータバス１３１２に結合されている起動ロジック１３１４、プログラム案内（ＰＧ）１３０６およびＰＧ記録ロジック１３０８をさらに備えている。
【００７１】
１つ以上の実施形態で、処理ロジック１３０２は、ＣＰＵ、プロセッサ、ゲートアレイ、ハードウェアロジック、メモリ素子、仮想計算機、ソフトウェアならびに／またはハードウェアおよびソフトウェアの任意の組み合わせを備えている。従って、処理ロジック１３０２は、一般に、機械可読命令を実行し、内部データバス１３１２を介してサーバ１３００の１つ以上の機能素子を制御するためのロジックを備えている。
【００７２】
リソースおよびインターフェース１３０４は、サーバ１３００が内部および外部のシステムと通信することを可能にするハードウェアおよび／またはソフトウェアを備えている。例えば、内部システムは、大記憶システム、メモリ、ディスプレイドライバ、モデムまたはその他の内部デバイスリソースを含み得る。外部システムは、ユーザインターフェースデバイス、プリンタ、ディスクドライバ、またはその他のローカルデバイスもしくはシステムを含み得る。
【００７３】
トランシーバロジック１３１０は、サーバ１３００が、通信チャネル１３１６を使用して遠隔デバイスまたはシステムに対してデータおよび／または他の情報を送信および受信することを可能にするように動作するハードウェアロジックおよび／またはソフトウェアを備えている。例えば、一実施形態では、通信チャネル１３１６は、サーバ１３００がデータネットワークと通信することを可能にするように、任意の適切な種類の通信リンクを備えている。
【００７４】
起動ロジック１３１４は、ＣＰＵ、プロセッサ、ゲートアレイ、ハードウェアロジック、メモリ素子、仮想計算機、ソフトウェアならびに／またはハードウェアおよびソフトウェアの任意の組み合わせを備えている。起動ロジック１３１４は、ＣＳおよび／またはデバイスがＰＧ１３０６に記載されているコンテンツおよび／またはサービスを選択および受信することが可能になるように、ＣＳおよび／またはデバイスを起動するように動作する。１つ以上の実施形態では、起動ロジック１３１４は、起動プロセスの間、クライアントプログラム１３２０をＣＳおよび／またはデバイスに送信する。クライアントプログラム１３２０は、ＰＧ１３０６を受信して利用可能なコンテンツまたはサービスについての情報をデバイスユーザに表示するために、ＣＳおよび／またはデバイス上で実行される。従って、起動ロジック１３１４は、クライアント１３２０によるデバイス上の提供のために、ＣＳおよび／またはデバイス、ダウンロードクライアント１３２０およびダウンロードＰＧ１３０６を認証するように動作する。
【００７５】
ＰＧ１３０６は、受信するデバイスが利用可能なコンテンツおよび／またはサービスを説明する任意の適切なフォーマットでの情報を備えている。例えば、ＰＧ１３０６は、サーバ１３００のローカルメモリに記憶されていてよく、コンテンツまたはサービスの識別子、スケジューリング情報、価格設定および／またはあらゆるその他の種類の関連情報等の情報を備えていてよい。一実施形態では、ＰＧ１３０６は、利用可能なコンテンツまたはサービスに変更が行われる際に、処理ロジック１３０２によって更新される１つ以上の識別可能なセクションを備えている。
【００７６】
ＰＧ記録１３０８は、ＰＧ１３０６の変更を識別および／または説明する通知メッセージを生成するように動作するハードウェアおよび／またはソフトウェアを備えている。例えば、処理ロジック１３０２がＰＣ１３０６を更新する場合、ＰＧ記録ロジック１３０８が変更について通知される。次に、ＰＧ記録ロジック１３０８は、サーバ１３００によって起動されていてよいＣＳｓが、ＰＧ１３０６の変更について即座に通知されるように、これらのＣＳｓに送信される１つ以上の通知メッセージを生成する。
【００７７】
一実施形態では、コンテンツ配信通知メッセージの一部として、メッセージ内で特定されるＰＧ１３０６のセクションがいつブロードキャストされるかを示すブロードキャストインジケータが提供される。例えば、一実施形態では、ブロードキャストインジケータは、セクションがブロードキャストされることを示す１ビットと、ブロードキャストがいつ行われるかを示す時間インジケータを備えている。従って、ＰＧ記録のそれらのローカルのコピーを更新することを願うＣＳｓおよび／またはデバイスは、ＰＧ記録の更新されたセクションを受信するために指定時間にブロードキャストを聞くことが可能である。
【００７８】
一実施形態では、コンテンツ配信通知システムは、プロセッサ、例えば、処理ロジック１３０２で実行される場合、本明細書で説明されるサーバ１３００の機能を提供する、コンピュータ可読媒体上に記憶されているプログラム命令を備えている。例えば、プログラム命令は、フロッピーディスク、ＣＤＲＯＭ、メモリカード、ＦＬＡＳＨメモリデバイス、ＲＡＭ、ＲＯＭまたはリソース１３０４を介してサーバ１３００とインターフェースで接続するあらゆる種類のメモリデバイスもしくはコンピュータ可読媒体等のコンピュータ可読媒体からサーバ１３００にプログラム命令がロードされ得る。別の実施形態では、命令は、トランシーバロジック１３１０を介してサーバ１３００とインターフェースで接続する外部デバイスまたはネットワークリソースからサーバ１３００にダウンロードされ得る。プログラム命令は、処理ロジック１３０２によって実行される場合、本明細書で説明されるような案内状態通知システムの１つ以上の実施形態を提供する。
【００７９】
図１４は、コンテンツ配信システムの１つ以上の実施形態での使用に適切なコンテンツサーバ（ＣＳ）またはデバイス１４００の一実施形態を示す。例えば、ＣＳ１４００は、図１２で示されるＣＳ１２２２またはデバイス１２１０であってよい。ＣＳ１４００は、いずれもデータバス１４０８に結合されている処理ロジック１４０２、リソースおよびインターフェース１４０４、ならびにトランシーバロジック１４０６を備えている。ＣＳ１４００は、同様にデータバス１４０８に結合されているクライアント１４１０、プログラムロジック１４１４およびＰＧロジック１４１２をさらに備えている。
【００８０】
１つ以上の実施形態で、処理ロジック１４０２は、ＣＰＵ、プロセッサ、ＣＰＵ、プロセッサ、ゲートアレイ、ハードウェアロジック、メモリ素子、仮想計算機、ソフトウェアならびに／またはハードウェアおよびソフトウェアの任意の組み合わせを備えている。従って、処理ロジック１４０２は、一般に、機械可読命令を実行し、内部データバス１４０８を介してＣＳ１４００の１つ以上の他の機能素子を制御するためのロジックを備えている。
【００８１】
リソースおよびインターフェース１４０４は、ＣＳ１４００が内部および外部のシステムと通信することを可能にするハードウェアおよび／またはソフトウェアを備えている。例えば、内部システムは、大記憶システム、メモリ、ディスプレイドライバ、モデムまたはその他の内部デバイスリソースを含み得る。外部システムは、ユーザインターフェースデバイス、プリンタ、ディスクドライバ、またはその他のローカルデバイスもしくはシステムを含み得る。
【００８２】
トランシーバロジック１４０６は、ＣＳ１４００が、通信チャネル１４１４を介して外部デバイスまたはシステムに対してデータおよび／または他の情報を送信および受信することを可能にするように動作するハードウェアおよび／またはソフトウェアを備えている。例えば、通信チャネル１４１４は、ネットワーク通信リンク、無線通信リンクまたは任意のその他の種類の通信リンクを備えていてよい。
【００８３】
動作の間、ＣＳおよび／またはデバイス１４００は、データネットワークを介して利用可能なコンテンツまたはサービスを受信し得るように起動されている。例えば、１つ以上の実施形態では、起動プロセスの間、ＣＳおよび／またはデバイス１４００は、それ自体をコンテンツプロバイダサーバに対して識別する。起動プロセスの一部として、ＣＳおよび／またはデバイス１４００は、ＰＧロジック１４１２によるＰＧ記録を受信して記憶する。ＰＧ１４１２は、受信するＣＳ１４００が利用可能なコンテンツまたはサービスを識別する情報を含む。クライアント１４１０は、リソースおよびインターフェース１４０４を使用してＣＳおよび／またはデバイス１４００上のＰＧロジック１４１２に情報を提供するように動作する。例えば、クライアント１４１０は、デバイスの一部であるディスプレイ画面上のＰＧロジック１４１２に情報を提供する。クライアント１４１０は、さらに、デバイスユーザがコンテンツまたはサービスを選択し得るように、リソースおよびインターフェースを介してユーザ入力を受信する。
【００８４】
一実施形態では、ＣＳ１４００は、トランシーバロジック１４０６を介して通知メッセージを受信する。例えば、メッセージはＣＳ１４００にブロードキャストまたはユニキャストされ、トランシーバロジック１４０６によって受信され得る。ＰＧ通知メッセージは、ＰＧロジック１４１２にあるＰＧ記録の更新を識別する。一実施形態では、クライアント１４１０は、ＰＧロジック１４１２にあるローカルコピーが更新される必要があるかどうかを決定するためにＰＧ通知メッセージを処理する。例えば、１つ以上の実施形態で、通知メッセージがセクション識別子、開始時間、終了時間およびバージョン番号を含む。ＣＳ１４００は、ＰＧ通知メッセージの情報を既存のＰＧロジック１４１２にローカルに記憶されている情報と比較するように動作する。ＣＳ１４００は、ＰＧロジック１４１２にあるローカルコピーの１つ以上のセクションが更新される必要があるとＰＧ通知メッセージから決定する場合、ＣＳ１４００は、複数のやり方のうちの１つでＰＧの更新されたセクションを受信するように動作する。例えば、トランシーバロジック１４０６がブロードキャストを受信し、更新されたセクションをＣＳ１４００に渡し、次に、ＣＳ１４００がＰＧロジック１４１２にあるローカルコピーを更新するように、ＰＧの更新されたセクションがＰＧ通知メッセージで示される時間にブロードキャストされてよい。
【００８５】
別の実施形態では、ＣＳ１４００は、ＰＧのいずれのセクションが更新される必要があるかを、受信されるＰＧ更新通知メッセージに基づいて決定し、ＰＧの所望の更新されたセクションを取得するためにＣＰサーバに要求を送信する。例えば、要求は、任意の適切なフォーマットを使用してフォーマットされてよく、要求するＣＳ識別子、セクション識別子、バージョン番号および／またはあらゆるその他の適切な情報を備えている。
【００８６】
１つ以上の実施形態では、ＣＳ１４００は、ＰＧ通知システムの１つ以上の実施形態で、以下の機能のうちの１つ以上を実行する。以下の機能は、変更されてよく、再配置されてよく、修正されてよく、付加されてよく、削除されてよく、またはそうでなければ実施形態の範疇の範囲内で調整されてよいことに留意されたい。
【００８７】
１．ＣＳがコンテンツまたはサービスを受信するためにコンテンツプロバイダシステムによって動作のために起動される。起動プロセスの一部として、クライアントおよびＰＧがＣＳに送信される。
【００８８】
２．１つ以上のＰＧ通知メッセージがＣＳにより受信され、ローカルに記憶されたＰＧの１つ以上のセクションが更新される必要があるかどうかを決定するために使用される。
【００８９】
３．一実施形態で、ローカルに記憶されたＰＧの１つ以上のセクションが更新される必要があると決定される場合、ＣＳは、そのローカルコピーを更新する必要があるＰＧの更新されたセクションを取得するために、配信システムからのブロードキャストを聞く。
【００９０】
４．別の実施形態で、ＣＳは必要があるＰＧの更新されたセクションを取得するために、ＣＰに１つ以上の要求メッセージを送信する。
【００９１】
５．要求に応じて、ＣＰはＰＧの更新されたセクションをＣＳに送信する。
【００９２】
６．ＣＳは、ＰＧの更新されたセクションのローカルコピーを更新するために、受信されるＰＧの更新されたセクションを使用する。
【００９３】
１つ以上の実施形態では、コンテンツ配信システムは、プロセッサ、例えば、処理ロジック１４０２で実行される場合、本明細書で説明されるコンテンツ配信通知システムの機能を提供する、コンピュータ可読媒体上に記憶されているプログラム命令を備えている。例えば、命令は、フロッピーディスク、ＣＤＲＯＭ、メモリカード、ＦＬＡＳＨメモリデバイス、ＲＡＭ、ＲＯＭまたはリソースおよびインターフェース１４０４を介してＣＳ１４００とインターフェースで接続するあらゆる種類のメモリデバイスもしくはコンピュータ可読媒体等のコンピュータ可読媒体からＣＳ１４００に命令がロードされ得る。別の実施形態では、命令は、トランシーバロジック１４０６を介してＣＳ１４００とインターフェースで接続するネットワークリソースからＣＳ１４００にダウンロードされ得る。命令は、処理ロジック１４０２によって実行される場合、本明細書で説明されるようなコンテンツ配信システムの１つ以上の実施形態を提供する。
【００９４】
ＣＳ１４００は、ほんの１つの実装だけを示しており、実施形態の範疇の範囲内で別の実装が可能であることに留意されたい。
【００９５】
図１５を参照すると、ブロードキャストおよび／またはマルチキャスト送信（単数または複数）を取得する遠隔媒体デバイスを監視および／または制御するシステム１５００が示されている。システム１５００は、プロセッサ、ソフトウェアまたはそれらの組み合わせ（例えば、ファームウェア）により実装される機能を示す機能ブロックであり得る機能ブロックを含むように示されていることを理解されたい。システム１５００は、無線デバイスで実装されてよく、ブロードキャスト送信１５０２と関連する収集される情報を受信する手段を含んでよい。例えば、収集される情報は、遠隔媒体デバイス（単数または複数）から取得されてよい。さらに、システム１５００は、媒体デバイスおよびネットワーク１５０４のうちの少なくとも１つの性能を監視する手段を備えていてよい。例示によると、収集される情報は、そのような監視を可能にするために評価されてよい。さらに、システム１５００は、監視された性能１５０６に基づいて後の送信を変更する手段を含んでよい。
【００９６】
ソフトウェア実装に関し、本明細書で説明される技術は、本明細書で説明される機能を実行するモジュール（例えば、プロシージャ、関数、等など）で実装され得る。ソフトウェアコードは、メモリユニットに記憶され、プロセッサによって実行され得る。メモリユニットは、プロセッサ内またはプロセッサの外部に実装されてもよく、外部の場合には、当技術分野で公知の種々の手段を介してプロセッサに通信可能に結合され得る。
【００９７】
上述されてきた内容は、１つ以上の実施形態の例を含む。勿論、前述の実施形態を説明する目的で構成要素または方法論の全ての考え得る組み合わせを説明することは不可能であるが、当業者は種々の実施形態の多くの更なる組み合わせおよび置換が可能であることを理解するであろう。従って、説明される実施形態は、添付の特許請求の範囲の範疇の範囲内にあるそのような変更形態、修正形態および変形形態の全てを包含することが意図されている。さらに、詳細な説明または特許請求の範囲の中で用語「含む」が使用されている限り、そのような用語は、用語「備える」が特許請求の範囲の中で暫定的な言葉として用いられる場合に解釈されるように、「備える」と同様の意味で包括的であることが意図される。
【図面の簡単な説明】
【００９８】
【図１】本明細書で示される種々の態様による無線通信システムの説明図である。
【図２】フィードバック情報を生成するために、遠隔に配置されるデバイスを監視および／または制御する無線通信システムの説明図である。
【図３】異なる地理的位置でのブロードキャストおよび／もしくはマルチキャスト送信を監視ならびに／または制御するシステムの説明図である。
【図４】制限された逆方向リンク通信または逆方向リンク通信なしでのコンテンツのブロードキャストおよび／またはマルチキャスト送信に関連するサービス品質を評価および／または修正するシステムの説明図である。
【図５】ＦＬＯ送信（単数または複数）に関連するデータの収集に関して用いられ得る遠隔プローブの例示的なアーキテクチャの説明図である。
【図６】ブロードキャストデバイスの遠隔での監視を容易化する方法論の説明図である。
【図７】ブロードキャスト送信に関連するデータの収集および／または帰路搬送を容易化する方法論の説明図である。
【図８】ローカル領域動作インフラストラクチャ（単数または複数）（ＬＯＩ（単数または複数））に関連する複数のノードからのデータの収集を容易化する方法論の説明図である。
【図９】ブロードキャストおよび／またはマルチキャスト送信（単数または複数）に関するフィードバックの監視および／または提供を容易化するユーザデバイスの説明図である。
【図１０】遠隔の媒体デバイス（単数または複数）の監視および／または制御を容易化するシステムの説明図である。
【図１１】本明細書で説明される種々のシステムおよび方法に関連して用いられ得る無線ネットワーク環境の説明図である。
【図１２】マルチメディアコンテンツフローの生成およびデータネットワークを介した転送を行うように動作する転送システムの一実施形態を備える通信ネットワークの説明図である。
【図１３】コンテンツ配信システムの一実施形態の使用に適したコンテンツプロバイダサーバの説明図である。
【図１４】コンテンツ配信システムの１つ以上の実施形態の使用に適したコンテンツサーバ（ＣＳ）またはデバイスの説明図である。
【図１５】ブロードキャストおよび／またはマルチキャスト送信（単数または複数）を取得する遠隔の媒体デバイスを監視および／または制御するシステムの説明図である。
【図１】
2009517927.tif 000003
【図２】
2009517927.tif 000004
【図３】
2009517927.tif 000005
【図４】
2009517927.tif 000006
【図５】
2009517927.tif 000007
【図６】
2009517927.tif 000008
【図７】
2009517927.tif 000009
【図８】
2009517927.tif 000010
【図９】
2009517927.tif 000011
【図１０】
2009517927.tif 000012
【図１１】
2009517927.tif 000013
【図１２】
2009517927.tif 000014
【図１３】
2009517927.tif 000015
【図１４】
2009517927.tif 000016
【図１５】
2009517927.tif 000017
【国際調査報告】
2009517927.tif 000018
2009517927.tif 000019